(57)【要約】 【課題】画像処理設定の微調整に関する調整量を視覚的に容易に認識できる撮像装置を提供する。【解決手段】撮像装置は、撮像素子を備える。撮像素子による撮像で得られた画像データのホワイトバランス調整を行う際のホワイトバランスゲインを設定するために使用される第１ホワイトバランス設定画面と、第１ホワイトバランス設定画面において設定されたホワイトバランスゲインを微調整するために使用される第２ホワイトバランス設定画面とを表示する表示部（第１表示部９２ａ）を備える。第２ホワイトバランス設定画面は、ホワイトバランスゲインの微調整が行われている状態を図示する調整中表示領域ＷＢ２１と、ホワイトバランスゲインの微調整量を図示する移動点と移動点の移動範囲を図示する二次元座標から構成される調整量表示領域ＷＢ２２とを有し、第１ホワイトバランス設定画面は、調整中表示領域ＷＢ２１を有しない。【選択図】図８
2008072297.tif 000002
【特許請求の範囲】
【請求項１】
撮像素子と、
前記撮像素子による撮像で得られた画像データのホワイトバランス調整を行う際のホワイトバランスゲインを設定するために使用される第１ホワイトバランス設定画面と、前記第１ホワイトバランス設定画面において設定された前記ホワイトバランスゲインを微調整するために使用される第２ホワイトバランス設定画面とを表示する表示部とを備え、
前記第２ホワイトバランス設定画面は、前記ホワイトバランスゲインの微調整が行われている状態を図示する調整中表示領域と、前記ホワイトバランスゲインの微調整量を図示する移動点と前記移動点の移動範囲を図示する二次元座標から構成される調整量表示領域とを有し、
前記第１ホワイトバランス設定画面は、前記調整中表示領域を有しないことを特徴とする撮像装置。
【請求項２】
前記ホワイトバランスゲインの微調整は、グリーンとマゼンタの間の色味の調整と、ブルーとアンバーの間の色味の調整であることを特徴とする請求項１に記載の撮像装置。
【請求項３】
前記調整中表示領域は、前記調整量表示領域の上側に配置された第１調整中表示領域、前記調整量表示領域の下側に配置された第２調整中表示領域、前記調整量表示領域の右側に配置された第３調整中表示領域、及び前記調整量表示領域の左側に配置された第４調整中表示領域を有し、
前記調整量表示領域は、前記第１〜第４調整中表示領域によって囲まれ、
前記第１〜第４調整中表示は、それぞれ、円弧形状を有し、
前記第１調整中表示領域は、グリーンの色構成を有し、前記第２調整中表示領域は、マゼンタの色構成を有し、前記第３調整中表示領域は、アンバーの色構成を有し、前記第４調整中表示領域は、ブルーの色構成を有することを特徴とする請求項２に記載の撮像装置。
【請求項４】
前記調整量表示領域の前記二次元座標の外形を構成する正方形枠は、上辺部、下辺部、右辺部、左辺部を有し、
前記上辺部は、左右方向の中心がグリーンで、右方向に向かってグリーンにアンバーの色味が加えられたグラデーションが施され、左方向に向かってグリーンにブルーの色味が加えられたグラデーションが施された色構成を有し、
前記下辺部は、左右方向の中心がマゼンタで、右方向に向かってマゼンタにアンバーの色味が加えられたグラデーションが施され、左方向に向かってマゼンタにブルーの色味が加えられたグラデーションが施された色構成を有し、
前記右辺部は、上下方向の中心がアンバーで、上方向に向かってアンバーにグリーンの色味が加えられたグラデーションが施され、下方向に向かってアンバーにマゼンタの色味が加えられたグラデーションが施された色構成を有し、
前記左辺部は、上下方向の中心がブルーで、上方向に向かってブルーにグリーンの色味が加えられたグラデーションが施され、下方向に向かってブルーにマゼンタの色味が加えられたグラデーションが施された色構成を有することを特徴とする請求項２に記載の撮像装置。
【請求項５】
撮像素子と、
前記撮像素子による撮像で得られた画像データの画像処理に関する設定を行うために使用される第１画像処理設定画面と、前記第１画像処理設定画面において行われた設定状態を微調整するために使用される第２画像処理設定画面とを表示する表示部と、
操作により、前記第１画像処理設定画面が表示されている状態から、前記第２画像処理設定画面に切り替えることが可能な操作部とを備え、
前記第１画像処理設定画面が表示されている状態においては、前記設定状態の微調整量を図示する移動点と前記移動点の移動範囲を図示する二次元座標から構成される調整量表示領域が表示され、
前記第２画像処理設定画面が表示されている状態に切り替えられると、前記調整量表示領域に加えて、前記設定状態の微調整が行われている状態を図示する調整中表示領域が表示されることを特徴とする撮像装置。
【請求項６】
前記画像処理は、ホワイトバランス、トーンカーブ、シャープネス、及び彩度の少なくとも１つの調整であることを特徴とする請求項５に記載の撮像装置。
【請求項７】
前記第２画像処理設定画面が表示されている状態において、操作により前記微調整量を決定する決定キーを更に備え、
前記決定キーが操作されると、前記微調整量が決定され、前記第１画像処理設定画面が表示されている状態に切り替えられることを特徴とする請求項５に記載の撮像装置。
【発明の詳細な説明】
【技術分野】
【０００１】
本発明は、撮像装置に関し、特にホワイトバランスゲインの設定を行う画面表示に関する。
【背景技術】
【０００２】
従来、撮像装置において、ホワイトバランスゲインの設定が可能な撮像装置が提案されている。
【０００３】
特許文献１は、ホワイトバランスゲインの設定（ホワイトバランス調整）の微調整が可能な撮像装置を開示する。
【特許文献１】特開２００４−３０４６９５号公報
【発明の開示】
【発明が解決しようとする課題】
【０００４】
しかし、特許文献１の装置は、ホワイトバランスゲインなどの画像処理設定の微調整手順を図示されておらず、画像処理設定の微調整に関する調整量を視覚的に認識するのが困難である。
【０００５】
したがって本発明の目的は、画像処理設定の微調整に関する調整量を視覚的に容易に認識できる撮像装置を提供することである。
【課題を解決するための手段】
【０００６】
本発明に係る撮像装置は、撮像素子と、撮像素子による撮像で得られた画像データのホワイトバランス調整を行う際のホワイトバランスゲインを設定するために使用される第１ホワイトバランス設定画面と、第１ホワイトバランス設定画面において設定されたホワイトバランスゲインを微調整するために使用される第２ホワイトバランス設定画面とを表示する表示部とを備え、第２ホワイトバランス設定画面は、ホワイトバランスゲインの微調整が行われている状態を図示する調整中表示領域と、ホワイトバランスゲインの微調整量を図示する移動点と移動点の移動範囲を図示する二次元座標から構成される調整量表示領域とを有し、第１ホワイトバランス設定画面は、調整中表示領域を有しない。
【０００７】
好ましくは、ホワイトバランスゲインの微調整は、グリーンとマゼンタの間の色味の調整と、ブルーとアンバーの間の色味の調整である。
【０００８】
さらに好ましくは、調整中表示領域は、調整量表示領域の上側に配置された第１調整中表示領域、調整量表示領域の下側に配置された第２調整中表示領域、調整量表示領域の右側に配置された第３調整中表示領域、及び調整量表示領域の左側に配置された第４調整中表示領域を有し、調整量表示領域は、第１〜第４調整中表示領域によって囲まれ、第１〜第４調整中表示は、それぞれ、円弧形状を有し、第１調整中表示領域は、グリーンの色構成を有し、第２調整中表示領域は、マゼンタの色構成を有し、第３調整中表示領域は、アンバーの色構成を有し、第４調整中表示領域は、ブルーの色構成を有する。
【０００９】
また、好ましくは、調整量表示領域の二次元座標の外形を構成する正方形枠は、上辺部、下辺部、右辺部、左辺部を有し、上辺部は、左右方向の中心がグリーンで、右方向に向かってグリーンにアンバーの色味が加えられたグラデーションが施され、左方向に向かってグリーンにブルーの色味が加えられたグラデーションが施された色構成を有し、下辺部は、左右方向の中心がマゼンタで、右方向に向かってマゼンタにアンバーの色味が加えられたグラデーションが施され、左方向に向かってマゼンタにブルーの色味が加えられたグラデーションが施された色構成を有し、右辺部は、上下方向の中心がアンバーで、上方向に向かってアンバーにグリーンの色味が加えられたグラデーションが施され、下方向に向かってアンバーにマゼンタの色味が加えられたグラデーションが施された色構成を有し、左辺部は、上下方向の中心がブルーで、上方向に向かってブルーにグリーンの色味が加えられたグラデーションが施され、下方向に向かってブルーにマゼンタの色味が加えられたグラデーションが施された色構成を有する。
【００１０】
本発明に係る撮像装置は、撮像素子と、撮像素子による撮像で得られた画像データの画像処理に関する設定を行うために使用される第１画像処理設定画面と、第１画像処理設定画面において行われた設定状態を微調整するために使用される第２画像処理設定画面とを表示する表示部と、操作により第１画像処理設定画面が表示されている状態から、第２画像処理設定画面に切り替えることが可能な操作部とを備え、第１画像処理設定画面が表示されている状態においては、設定状態の微調整量を図示する移動点と移動点の移動範囲を図示する二次元座標から構成される調整量表示領域が表示され、第２画像処理設定画面が表示されている状態に切り替えられると、調整量表示領域に加えて、設定状態の微調整が行われている状態を図示する調整中表示領域が表示される。
【００１１】
好ましくは、画像処理は、ホワイトバランス、トーンカーブ、シャープネス、及び彩度の少なくとも１つの調整である。
【００１２】
また、好ましくは、第２画像処理設定画面が表示されている状態において、操作により微調整量を決定する決定キーを更に備え、決定キーが操作されると、微調整量が決定され、第１画像処理設定画面が表示されている状態に切り替えられる。
【発明の効果】
【００１３】
以上のように本発明によれば、画像処理設定の微調整に関する調整量を視覚的に容易に認識できる撮像装置を提供することができる。
【発明を実施するための最良の形態】
【００１４】
以下、本実施形態について、図を用いて説明する。撮像装置１は、デジタルカメラである。
【００１５】
撮像装置１の撮像に関する部分は、操作部１０、制御部３０、撮影部５０、記録部７０、バッファメモリ８０、及び表示部９０を備える（図１参照）。操作部１０は、露出モード選択ダイヤル１１、電源レバー１２、レリーズボタン１３、リセットキー１４、ファンクションキー１５、十字キー１６、決定キー１７、及びメニューキー１８を有する（図１〜図３参照）。撮影部５０は、絞りを含むレンズ５１、シャッタ５２、及びＣＣＤなどの撮像素子５３を有する。情報表示部９０は、光学ファインダ９１、及び第１、第２表示部９２ａ、９２ｂを有する。
【００１６】
レリーズボタン１３が全押しされることにより、被写体像は、レンズ５１を介した光学像として、撮像素子５３で撮像される。撮像された静止画像は、第１表示部９２ａに表示され、撮像された静止画像のデータは記録部７０に記録される。被写体像の、レンズ５１を介した光学像は、光学ファインダ９１によって光学的に観察可能である。
【００１７】
また、電源レバー１２をプレビュー指示位置（不図示）に合わせることにより、被写体像は、レンズ５１を介した光学像として、撮像素子５３で撮像される。この場合、撮像された静止画像のデータはバッファメモリ８０に一時記録されるが、記録部７０には記録されない。バッファメモリ８０に一時記録された画像データは、プレビュー表示に使用される他、第１、第２ホワイトバランス設定画面の確認画像として使用される。
【００１８】
露出モード選択ダイヤル１１は、絞り優先モードなどの露出モードを選択するためのダイヤルで、露出モード選択ダイヤル１１を回転させ、ダイヤル指標位置（不図示）に合わせられたマークに対応する露出モードが、撮像装置１で設定された露出モードになる。
【００１９】
電源レバー１２は、撮像装置１の前面グリップ部分で且つレリーズボタン１３の周囲に配置されたレバーで、使用者が撮像装置１を保持した状態で使用者の右手人差し指などを使って回転させて所定位置（オン指示位置、オフ指示位置、プレビュー指示位置）にレバー指標を合わせることにより、撮像装置１の電源のオンオフ、及びバッファメモリ８０に記録するための撮像（プレビュー表示動作）が行われる。
【００２０】
レリーズボタン１３は、半押しすることにより測光スイッチ（不図示）がオン状態にされＡＥセンサ（不図示）による測光やＡＦセンサ（不図示）による測距及び合焦動作が行われる。
【００２１】
レリーズボタン１３は、全押しすることによりレリーズスイッチ（不図示）がオン状態にされ撮像が行われる。撮像により得られた画像データに対応する画像は、第１表示部９２ａに表示され、画像データは記録部７０に記録される。レリーズボタン１３の全押しに対応して撮像される画像は静止画像であってもよいし、動画像であってもよい。
【００２２】
使用者が操作キーとしてのファンクションキー１５、十字キー１６、及び決定キー１７を操作することにより、ホワイトバランスゲイン（ホワイトバランス調整におけるゲイン）の設定が行われる。リセットキー１４、及びメニューキー１８は、ホワイトバランスゲインの微調整において使用される。
【００２３】
リセットキー１４は、撮像装置１の前面グリップ部分で且つレリーズボタン１３近傍に配置されたボタンで、ホワイトバランスゲインの微調整を行う際（第２ホワイトバランス設定画面が表示された状態（図８、図９参照）で）、使用者が撮像装置１を保持した状態で使用者の右手人差し指などを使って押下することにより、微調整したパラメータがリセットされ微調整が行われたかった状態に戻される（ＧＭ補正値、ＢＡ補正値がリセットされる）。
【００２４】
ファンクションキー１５は、撮像装置１の背面右下に配置される。十字キー１６は、上方向キー１６ａ、下方向キー１６ｂ、右方向キー１６ｃ、左方向キー１６ｄを有し、決定キー１７を囲む位置関係で、撮像装置１の背面右側に配置される。ファンクションキー１５を押下することにより、機能設定画面（不図示）が第１表示部９２ａに表示され、さらに左方向キー１６ｄを押下することにより、第１ホワイトバランス設定画面（図６、図７参照）が第１表示部９２ａに表示される。第１ホワイトバランス設定画面が表示された状態で、右方向キー１６ｃを押下することにより、第２ホワイトバランス設定画面（図８、図９参照）が表示される。
【００２５】
決定キー１７は、十字キー１６により設定されたホワイトバランスの設定状態（ホワイトバランスゲイン）を確定するのに使用される。第１ホワイトバランス設定画面が表示された状態で、決定キー１７が押下されると、第１ホワイトバランス設定画面上の矩形枠で囲った表示領域に対応するホワイトバランスに関するモードに基づいてホワイトバランスゲインが確定され、機能設定画面の表示に切り替えられる。第２ホワイトバランス設定画面が表示された状態で、決定キー１７が押下されると、第２ホワイトバランス設定画面上の調整量表示領域ＷＢ２２における移動点位置に対応して、選択されたホワイトバランスに関するモードに対応するホワイトバランスゲイン（色味）の微調整量が確定され、第１ホワイトバランス設定画面の表示に切り替えられる。
【００２６】
メニューキー１８は、撮像装置１の背面左側に配置されたボタンで、ホワイトバランスゲインの微調整を行う際（第２ホワイトバランス設定画面が表示された状態で）、使用される。第２ホワイトバランス設定画面が表示された状態で、メニューキー１８が押下されると、第２ホワイトバランス設定画面上の調整量表示領域ＷＢ２２における移動点位置に対応して、選択されたホワイトバランスに関するモードに対応するホワイトバランスゲイン（色味）の微調整量を反映せずに、第１ホワイトバランス設定画面の表示に切り替えられる。また、メニューキー１８は、画質調整などの設定開始ボタンとしても使用されてもよい。
【００２７】
制御部３０は、撮像に関する各部の制御、特に、微調整を含むホワイトバランスゲインの設定を行う場合に、操作部１０の操作に対応して、ホワイトバランスの設定状態を変更し、プレビュー表示が行われている場合にはプレビュー表示されている静止画像に対してホワイトバランスの設定状態に基づくホワイトバランス調整を行い、且つホワイトバランスの設定状態に関する情報表示（第１、第２ホワイトバランス設定画面の表示）とホワイトバランス調整後の静止画像とを表示部９０（第１表示部９２ａ）に表示する制御を行う。
【００２８】
光学ファインダ９１は、使用者の一方の目でのぞき込んで被写体像のレンズ５１を介した光学像や、使用者が設定するか測光により算出された露光条件を観察するファインダである。
【００２９】
第１表示部９２ａは、撮像装置１の背面に配置された表示装置で、撮像により得られた画像（プレビュー表示に用いられる静止画像を含む）を表示する他、ホワイトバランスの設定状態に関する情報表示（第１、第２ホワイトバランス設定画面の表示）を行う。第２表示部９２ｂは、撮像装置１の上面に配置された表示装置で、露光条件やホワイトバランスなどの画像処理や記録に関する機能設定状態を表示する。
【００３０】
ファンクションキー１５、及び十字キー１６（左方向キー１６ｄ）を操作することにより、第１表示部９２ａは、ホワイトバランスの設定状態に関する情報表示を行う第１、第２ホワイトバランス設定画面を表示する。バッファメモリ８０に画像データが一時記録されている場合は、最新の画像データを第１表示部９２ａに表示した状態（プレビュー表示）で、ホワイトバランスの設定状態に関する情報表示（第１、第２ホワイトバランス設定画面の表示）を重ねて行う（オンスクリーン表示、図６、図８参照）。バッファメモリ８０に画像データが一時記録されていない場合は、ホワイトバランスの設定状態に関する情報表示（第１、第２ホワイトバランス設定画面の表示）だけを行う（図７、図９参照）。
【００３１】
第１表示部９２ａにホワイトバランスの設定状態に関する情報（第１、第２ホワイトバランス設定画面）を表示させた状態で、十字キー１６を操作することにより、ホワイトバランスの設定状態が変更される。
【００３２】
第１ホワイトバランス設定画面は、表示画面がホワイトバランスの設定状態であることを文字で示すホワイトバランス表示領域ＷＢ１、選択されたホワイトバランスに関するモードを文字で示す第１選択モード表示領域ＷＢ２、電源レバー１２のプレビュー指示位置にレバー指標を合わせることに対応する、新たに撮像を行ってプレビュー表示を行う指示をアイコンと文字で示すプレビュー指示表示領域ＷＢ３、決定キー１７の押下に対応して、ホワイトバランスの設定状態を確定させるアイコンと文字を有する決定指示表示領域ＷＢ４、制御部３０による自動制御でホワイトバランスを調整するオートホワイトバランスモードを文字で示すＡＷＢ表示領域ＷＢ５、太陽の下で撮影するときに設定する太陽光モードをアイコンで示す太陽光表示領域ＷＢ６、日陰で撮影するときに設定する日陰モードをアイコンで示す日陰表示領域ＷＢ７、曇りの日に撮影するときに設定する曇天モードをアイコンで示す曇天表示領域ＷＢ８、蛍光灯で照明されたものを撮影するときに設定する蛍光灯モードをアイコンと文字で示す蛍光灯表示領域ＷＢ９、白熱灯で照明されたものを撮影するときに設定する白熱灯モードをアイコンで示す白熱灯表示領域ＷＢ１０、内蔵ストロボを使用して撮影するときに使用するストロボモードをアイコンで示すストロボ表示領域ＷＢ１１、手動でホワイトバランスを調整するマニュアルモードをアイコンで示すマニュアル表示領域ＷＢ１２、色温度を数値で設定する色温度設定モードを数値で示す色温度表示領域ＷＢ１３、及びホワイトバランスゲインの微調整量を図示する移動点と移動点の移動範囲を図示する二次元座標から構成される調整量表示領域ＷＢ２２を有する（図６、図７参照）。
【００３３】
第１ホワイトバランス設定画面が表示された状態において、上方向キー１６ａ、下方向キー１６ｂを押下することにより、ＡＷＢ表示領域ＷＢ５、太陽光表示領域ＷＢ６、日陰表示領域ＷＢ７、曇天表示領域ＷＢ８、蛍光灯表示領域ＷＢ９、白熱灯表示領域ＷＢ１０、ストロボ表示領域ＷＢ１１、マニュアル表示領域ＷＢ１２、及び色温度表示領域ＷＢ１３のいずれかに矩形枠が移動されて、矩形枠で囲った表示領域に対応するホワイトバランスに関するモードが選択される。選択されたモードの名称が、第１選択モード表示領域ＷＢ２に表示される。図６、図７は、日陰モードが選択された状態を示す。
【００３４】
第１ホワイトバランス設定画面が表示された状態において、ホワイトバランスに関するモードが変更されると、プレビュー画像に対応する画像データが、変更されたホワイトバランスに関するモードに対応するホワイトバランスゲインに基づいてホワイトバランス調整される（図４のステップＳ１６参照）。調整された後の静止画像が、ホワイトバランスの設定状態に関する情報（第１ホワイトバランス設定画面）表示の背面に表示される。そのため、ホワイトバランスを調整することによる結果を視覚的に認識することが可能になる。
【００３５】
第１ホワイトバランス設定画面が表示された状態において、電源レバー１２をプレビュー指示位置に合わせると、新たに撮像が行われ、撮像された画像データがバッファメモリ８０に一時記録され、一時記録された画像データに対応する静止画像が、ホワイトバランスの設定状態に関する情報（第１ホワイトバランス設定画面）表示の背面に表示される。この時の静止画像は、第１ホワイトバランス設定画面上の矩形枠で囲った表示領域に対応するホワイトバランスに関するモードに基づいて設定されたホワイトバランスゲインを使ったホワイトバランス調整が行われた画像である。
【００３６】
第１ホワイトバランス設定画面が表示された状態で、決定キー１７が押下されると、第１ホワイトバランス設定画面上の矩形枠で囲った表示領域に対応するホワイトバランスに関するモードに基づいてホワイトバランスゲインが確定され、機能設定画面の表示に切り替えられる。
【００３７】
第１ホワイトバランス設定画面が表示された状態において、右方向キー１６ｃが押下されると、ホワイトバランスゲインの微調整を行う第２ホワイトバランス設定画面が表示される（図８、図９参照）。
【００３８】
第２ホワイトバランス設定画面は、選択されたホワイトバランスに関するモードを文字で示す第１選択モード表示領域ＷＢ２、ホワイトバランスの設定状態を確定させる決定キー１７に対応するアイコンと文字を有する決定指示表示領域ＷＢ４、ホワイトバランスゲインの微調整が行われている状態を図示する調整中表示領域ＷＢ２１、ホワイトバランスゲインの微調整量を図示する移動点と移動点の移動範囲を図示する二次元座標から構成される調整量表示領域ＷＢ２２、微調整量をリセットするリセットキー１４に対応するアイコンと文字を有するリセット指示表示領域ＷＢ２３、第１ホワイトバランス設定画面への切り替え表示を行うメニューキー１８に対応するアイコンと文字を有する取消指示表示領域ＷＢ２４、ホワイトバランスゲインの微調整量でＧ（グリーン）とＭ（マゼンタ）の間の色味の調整値を数値と上下方向矢印で表すＧＢ補正値表示領域ＷＢ２５、ホワイトバランスゲインの微調整量でＢ（ブルー）とＡ（アンバー）の間の色味の調整値を数値と左右方向矢印で表すＢＡ補正値表示領域ＷＢ２６、及び選択されたホワイトバランスに関するモードのアイコン表示とホワイトバランスゲインの微調整を設定する画面であることを示す第２選択モード表示領域ＷＢ２７を有する。
【００３９】
第２ホワイトバランス設定画面が表示された状態において、上方向キー１６ａ、下方向キー１６ｂ、右方向キー１６ｃ、左方向キー１６ｄを押下することにより、調整量表示領域ＷＢ２２における移動点が移動せしめられ、移動点に対応して、選択されたホワイトバランスに関するモードに対応するホワイトバランスゲイン（色味）の微調整が行われる。具体的には、上方向キー１６ａの押下により、Ｇの色味が強められ、下方向キー１６ｂの押下により、Ｍの色味が強められ、右方向キー１６ｃの押下によりＡの色味が強められ、左方向キー１６ｄの押下によりＢの色味が強められる。
【００４０】
調整中表示領域ＷＢ２１は、調整量表示領域ＷＢ２２の上側に配置された第１調整中表示領域ＷＢ２１ａ、調整量表示領域ＷＢ２２の下側に配置された第２調整中表示領域ＷＢ２１ｂ、調整量表示領域ＷＢ２２の右側に配置された第３調整中表示領域ＷＢ２１ｃ、及び調整量表示領域ＷＢ２２の左側に配置された第４調整中表示領域ＷＢ２１ｄを有する。第１〜第４調整表示領域ＷＢ２１ａ〜ＷＢ２１ｄは、それぞれ、調整量表示領域ＷＢ２２を囲む円弧形状を有する。
【００４１】
調整中表示領域ＷＢ２１は、第２ホワイトバランス設定画面が表示された状態において、決定キー１７が押下されて、ホワイトバランスゲインの微調整量が確定される前に、表示され（図８、図９参照）、決定キー１７が押下された後の第１ホワイトバランス設定画面が表示された状態においては、表示されない（図６、図７参照）。これにより、微調整を行っている最中であるか否かを、視覚的に容易に認識することが可能になる。
【００４２】
第１調整中表示領域ＷＢ２１ａは、グリーンの色構成を有し、第２調整中表示領域ＷＢ２１ｂは、マゼンタの色構成を有し、第３調整中表示領域ＷＢ２１ｃは、アンバーの色構成を有し、第４調整中表示領域ＷＢ２１ｄは、ブルーの色構成を有する。
【００４３】
調整量表示領域ＷＢ２２は、ホワイトバランスゲインの微調整量を図示する移動点と移動点の移動範囲を図示する二次元座標から構成される。二次元座標の外形を構成する正方形枠は、上辺部ＷＢ２２ａ、下辺部ＷＢ２２ｂ、右辺部ＷＢ２２ｃ、左辺部ＷＢ２２ｄを有する。調整量表示領域ＷＢ２２の二次元座標は透過しない色構成（例えば、白地に黒線の碁盤、または黒地に白線の碁盤）を有し、背面の画像は表示されない。
【００４４】
上辺部ＷＢ２２ａは、左右方向の中心がグリーンで、右方向に向かってグリーンにアンバーの色味が加えられたグラデーションが施され、左方向に向かってグリーンにブルーの色味が加えられたグラデーションが施された色構成を有する。下辺部ＷＢ２２ｂは、左右方向の中心がマゼンタで、右方向に向かってマゼンタにアンバーの色味が加えられたグラデーションが施され、左方向に向かってマゼンタにブルーの色味が加えられたグラデーションが施された色構成を有する。右辺部ＷＢ２２ｃは、上下方向の中心がアンバーで、上方向に向かってアンバーにグリーンの色味が加えられたグラデーションが施され、下方向に向かってアンバーにマゼンタの色味が加えられたグラデーションが施された色構成を有する。左辺部ＷＢ２２ｄは、上下方向の中心がブルーで、上方向に向かってブルーにグリーンの色味が加えられたグラデーションが施され、下方向に向かってブルーにマゼンタの色味が加えられたグラデーションが施された色構成を有する。
【００４５】
第１〜第４調整中表示領域ＷＢ２１ａ〜ＷＢ２１ｄの色構成、及び上辺部ＷＢ２２ａ、下辺部ＷＢ２２ｂ、右辺部ＷＢ２２ｃ、左辺部ＷＢ２２ｄが、互いに隣接する辺部の中心に設定された色に近づくグラデーション表示をすることにより、調整量表示領域ＷＢ２２の移動点を二次元座標上に移動させることにより強められる色味を視覚的に容易に認識することが可能になる。
【００４６】
第２ホワイトバランス設定画面が表示された状態において、ホワイトバランスゲインの微調整が行われると、プレビュー画像に対応する画像データの微調整されたホワイトバランスゲインの補正量に対応してホワイトバランスゲインが微調整され、微調整された後の静止画像が、ホワイトバランスの設定状態に関する情報（第２ホワイトバランス設定画面）表示の背面に表示される。そのため、ホワイトバランスゲインを微調整することによる結果を視覚的に認識することが可能になる。
【００４７】
第２ホワイトバランス設定画面が表示された状態において、電源レバー１２をプレビュー指示位置に合わせると、新たに撮像が行われ、撮像された画像データがバッファメモリ８０に一時記録され、一時記録された画像データに対応する静止画像が、ホワイトバランスの設定状態に関する情報（第２ホワイトバランス設定画面）表示の背面に表示される。この時の静止画像は、第２ホワイトバランス設定画面上の調整量表示領域ＷＢ２２における移動点位置、及び選択されたホワイトバランスに関するモードに対応するホワイトバランスゲインを使ったホワイトバランス調整が行われた画像である。
【００４８】
第２ホワイトバランス設定画面が表示された状態で、決定キー１７が押下されると、第２ホワイトバランス設定画面上の調整量表示領域ＷＢ２２における移動点位置に対応して、選択されたホワイトバランスに関するモードに対応するホワイトバランスゲイン（色味）の微調整量が確定され、第１ホワイトバランス設定画面の表示に切り替えられる。メニューキー１８が押下されると、第２ホワイトバランス設定画面上の調整量表示領域ＷＢ２２における移動点位置に対応して、選択されたホワイトバランスに関するモードに対応するホワイトバランスゲイン（色味）の微調整量を反映せずに、第１ホワイトバランス設定画面の表示に切り替えられる。
【００４９】
次に、電源レバー１２のレバー指標をプレビュー指示位置に合わせることにより行われるプレビュー表示に使用される画像データ生成の流れについて図４のフローチャートを用いて説明する。電源レバー１２のレバー指標がプレビュー指示位置に合わせられると、使用者が設定するか測光により算出された露光条件で撮像が行われ、ＲＡＷデータが生成される。ステップＳ１１で、ＲＡＷデータは、ホワイトバランス調整される。ステップＳ１２で、補間処理が行われる。ステップＳ１３で、γ補正が行われる。トーン、シャープネス、及び彩度の調整は、ステップＳ１３で行われる。ステップＳ１３の後、ＹＣｂＣｒデータが生成される。ＹＣｂＣｒデータは、プレビュー表示に使用される画像データであり、バッファメモリ８０に一時記録される。Ｓ１１〜Ｓ１３への流れは、記録部７０に記録されたＲＡＷデータをプレビュー表示として使用する場合についても同じである。
【００５０】
既にバッファメモリ８０に一時記録されたＹＣｂＣｒデータに、新たに設定されたホワイトバランスゲインを反映させる場合は、ステップＳ１４で、ＹＣｂＣｒデータに対して、逆γ補正（γ補正を行う前の状態に戻す）が行われる。トーン、及び彩度の逆調整（これらの調整を行う前の状態に戻す）についてもステップＳ１４で行われる。ステップＳ１５で、逆ホワイトバランス調整が行われ、ＹＣｂＣｒデータを生成する際に行われたホワイトバランス調整が行われる前の状態（ホワイトバランスゲインが乗算される前の状態）に戻される。ステップＳ１６で、新たに設定されたホワイトバランスゲインを使ったホワイトバランス調整が行われ、ステップＳ１２に進められる。
【００５１】
次に、ホワイトバランスゲインを設定する流れを図５のフローチャートを用いて説明する。ステップＳ３１で、第１ホワイトバランス設定画面（または第２ホワイトバランス設定画面）を表示するために、ファンクションキー１５、及び十字キー１６（左方向キー１６ｄ）を使って所定の操作が行われる。ステップＳ３２で、バッファメモリ８０に、一時記録された画像データ（ＹＣｂＣｒデータ）があるか否かが判断される。有る場合は、ステップＳ３３に進められ、無い場合は、ステップＳ４０に進められる。
【００５２】
ステップＳ３３で、バッファメモリ８０に一時記録された画像データに基づく静止画像が第１表示部９２ａに表示され、その上に、第１ホワイトバランス設定画面（または第２ホワイトバランス設定画面）がオンスクリーン表示される（図４のステップＳ１４〜Ｓ１６、Ｓ１２、Ｓ１３参照）。ステップＳ３４で、電源レバー１２のレバー指標がプレビュー指示位置に合わされて、プレビュー表示のための画像データが新たに取得されたか否かが判断される。新たに取得された場合はステップＳ３５に進められ、新たに取得されていない場合は、ステップＳ３５を介さずに、ステップＳ３６に進められる。
【００５３】
ステップＳ３５で、新たに取得された画像データに基づく静止画像が第１表示部９２ａに表示され、その上に、第１ホワイトバランス設定画面がオンスクリーン表示される（図４のステップＳ１１〜Ｓ１３参照）。ステップＳ３６で、ホワイトバランスに関するパラメータが変更されたか否か、すなわち、ホワイトバランスゲインを変更する操作が行われたか否かが判断される。第１ホワイトバランス設定画面が表示された状態においては、ホワイトバランスに関するモードが変更されたか否かが判断され、第２ホワイトバランス設定画面が表示された状態においては、ホワイトバランスゲインの微調整量が変更されたか否かが判断される。
【００５４】
ホワイトバランスに関するパラメータが変更された場合は、ステップＳ３７に進められ、変更されていない場合は、ステップＳ３７を介さずにステップＳ３８に進められる。ステップＳ３７で、ステップＳ３５で表示された静止画像に対応する画像データが、新たに設定されたホワイトバランスゲインに基づくホワイトバランス調整が行われ、ホワイトバランス調整後の静止画像が、第１表示部９２ａに表示され、その上に、ホワイトバランスに関するパラメータが変更された状態の第１ホワイトバランス設定画面（または第２ホワイトバランス設定画面）がオンスクリーン表示される（図４のステップＳ１４〜Ｓ１６、Ｓ１２、Ｓ１３参照）。ステップＳ３８で、ホワイトバランスゲインの設定を継続するか否か、すなわち、決定キー１７や、メニューキー１８の押下が行われたか否かが判断される。
【００５５】
ホワイトバランスに関するパラメータを変更する際に、第１ホワイトバランス設定画面から、第２ホワイトバランス設定画面に切り替えられた場合には、調整量表示領域ＷＢ２２に加えて、調整量表示領域ＷＢ２２の周りに、調整中表示領域ＷＢ２１が表示される。第２ホワイトバランス設定画面から、第１ホワイトバランス設定画面に切り替えられた場合には、調整量表示領域ＷＢ２２の周りの調整中表示領域ＷＢ２１が消える。これにより、微調整量を調整可能な状態（第２ホワイトバランス設定画面が表示された状態）と、調整不可能な状態（第１ホワイトバランス設定画面が表示された状態）との違いを瞬時に視認することが可能になる。
【００５６】
決定キー１７や、メニューキー１８が押下されていない場合は、現在表示されているホワイトバランス設定画面におけるホワイトバランスゲインの設定が継続されるとして、ステップＳ３４に戻される。押下された場合は、現在表示されているホワイトバランス設定画面におけるホワイトバランスゲインの設定を終了するとして、ステップＳ３９に進められる。ステップＳ３９で、現在表示されているホワイトバランス設定画面の表示が終了される。
【００５７】
ステップＳ４０で、画像表示が行われない状態で、第１ホワイトバランス設定画面（または第２ホワイトバランス設定画面）が第１表示部９２ａに表示される。ステップＳ４１で、電源レバー１２のレバー指標がプレビュー指示位置に合わされて、プレビュー表示のための画像データが新たに取得されたか否かが判断される。新たに取得された場合はステップＳ３５に進められ、新たに取得されていない場合は、ステップＳ４２に進められる。ステップＳ４２で、画像表示が行われない状態で、第１ホワイトバランス設定画面（または第２ホワイトバランス設定画面）が第１表示部９２ａに表示される。この時、ホワイトバランスに関するパラメータが変更された場合でも、静止画像への反映は行われない。
【００５８】
ステップＳ４３で、ホワイトバランスゲインの設定を継続するか否か、すなわち、決定キー１７や、メニューキー１８の押下が行われたか否かが判断される。
【００５９】
決定キー１７や、メニューキー１８が押下されていない場合は、現在表示されているホワイトバランス設定画面におけるホワイトバランスゲインの設定が継続されるとして、ステップＳ４１に戻される。押下された場合は、現在表示されているホワイトバランス設定画面におけるホワイトバランスゲインの設定を終了するとして、ステップＳ３９に進められる。
【００６０】
本実施形態では、ホワイトバランスゲインに関する設定が行われる際に、静止画像によるプレビュー表示が行われるが、動画像であってもよい。
【００６１】
第１表示部９２ａで行うプレビュー表示に使用する画像データは、記録部７０に記録されたＲＡＷデータまたはＹＣｂＣｒデータであってもよい。また、記録部７０やバッファメモリ８０に記録する前の画像データであってもよい。
【００６２】
また、微調整を含むホワイトバランスゲインの設定画面を使って説明したが、トーンカーブ、シャープネス、彩度の調整など、ＲＡＷデータを静止画像として表示可能なＹＣｂＣｒデータに変換する他の画像処理画像処理に関する設定画面表示であってもよい。
【図面の簡単な説明】
【００６３】
【図１】本実施形態における撮像装置の構成図である。
【図２】撮像装置の正面側から見た斜視図である。
【図３】撮像装置の背面側から見た斜視図である。
【図４】電源レバーのレバー指標をプレビュー指示位置に合わせることにより行われるプレビュー表示に使用される画像データ生成の流れを示すフローチャートである。
【図５】ホワイトバランスゲインを設定する流れを示すフローチャートである。
【図６】第１ホワイトバランス設定画面と、プレビュー画像を示す図である。
【図７】プレビュー画像を表示しない状態における、第１ホワイトバランス設定画面を示す図である。
【図８】第２ホワイトバランス設定画面と、プレビュー画像を示す図である。
【図９】プレビュー画像を表示しない状態における、第２ホワイトバランス設定画面を示す図である。
【符号の説明】
【００６４】
１  撮像装置
１０  操作部
１１  露出モード選択ダイヤル
１２  電源レバー
１３  レリーズボタン
１４  リセットキー
１５  ファンクションキー
１６  十字キー
１７  決定キー
１８  メニューキー
３０  制御部
５０  撮影部
５１  レンズ
５２  シャッタ
５３  撮像素子
７０  記録部
８０  バッファメモリ
９０  表示部
９１  光学ファインダ
ＷＢ１  ホワイトバランス表示領域
ＷＢ２  第１選択モード表示領域
ＷＢ３  プレビュー指示表示領域
ＷＢ４  決定指示表示領域
ＷＢ５  ＡＷＢ表示領域
ＷＢ６  太陽光表示領域
ＷＢ７  日陰表示領域
ＷＢ８  曇天表示領域
ＷＢ９  蛍光灯表示領域
ＷＢ１０  白熱灯表示領域
ＷＢ１１  ストロボ表示領域
ＷＢ１２  マニュアル表示領域
ＷＢ１３  色温度表示領域
ＷＢ２１  調整中表示領域
ＷＢ２１ａ〜ＷＢ２１ｄ  第１〜第４調整中表示領域
ＷＢ２２  調整量表示領域
ＷＢ２２ａ  上辺部
ＷＢ２２ｂ  下辺部
ＷＢ２２ｃ  右辺部
ＷＢ２２ｄ  左辺部
ＷＢ２３  リセット指示表示領域
ＷＢ２４  取消指示表示領域
ＷＢ２５  ＧＢ補正値表示領域
ＷＢ２６  ＢＡ補正値表示領域
ＷＢ２７  第２選択モード表示領域
【図１】
2008072297.tif 000003
【図２】
2008072297.tif 000004
【図３】
2008072297.tif 000005
【図４】
2008072297.tif 000006
【図５】
2008072297.tif 000007
【図６】
2008072297.tif 000008
【図７】
2008072297.tif 000009
【図８】
2008072297.tif 000010
【図９】
2008072297.tif 000011